(57)【要約】【課題】接点式水流スイッチを用いず、かつ給湯流量によらず電源のオン・オフを可能とすること。【解決手段】前記混合弁３４により混合された湯水の供給量を検出する電磁式流量センサ３０Ａと、前記電磁式流量センサ３０Ａなどからの信号を受け取り、また前記混合弁３４などの負荷を制御して給湯動作を行う制御手段４０とを備え、キッチンや洗面所等から給湯される際に、前記電磁式流量センサ３０Ａにて電磁誘導法則を利用して発電し、その電圧を前記電磁式流量センサ３０Ａに供給する構成とすることにより、接点式水流スイッチを用いることなく、また給湯流量によらずにオフ状態となっていた電磁式流量センサの電源をオンすることが可能であり、待機時の電磁式水量センサの電力をオフすることにより待機電力を削減することができる。【選択図】図１
2011202850.tif 000002
【特許請求の範囲】
【請求項１】
湯水を貯える貯湯タンクと、前記貯湯タンクの下部より分岐させた出水用配管と、前記貯湯タンクの上部に設けた給湯用配管と、前記給湯用配管より供給される高温水と前記出水用配管より供給される水を混合する混合弁と、前記混合弁により混合された湯水の供給量を検出する電磁式流量センサと、前記電磁式流量センサなどからの信号を受け取り、また前記混合弁などの負荷を制御して給湯動作を行う制御手段とを備え、キッチンや洗面所等から給湯される際に、前記電磁式流量センサにて電磁誘導作用を利用して発電し、その電圧を電磁式流量センサに供給する構成とした給湯装置。
【請求項２】
前記電磁式流量センサで発電した電圧を発電検知手段で検知し、発電検知時には電源オン・オフ手段により、電圧回路から前記電磁式流量センサに電源を供給する構成とした請求項１に記載の給湯装置。
【請求項３】
前記電源オン・オフ手段は、前記発電検知手段で発電を検知できなくなってから所定時間後に前記電磁式流量センサへの電源供給を遮断することを特徴とした請求項２に記載の給湯装置。
【発明の詳細な説明】
【技術分野】
【０００１】
本発明は、使用者からの給湯要求がないとき負荷の電源を遮断することで待機電力を削減する給湯装置に関するものである。
【背景技術】
【０００２】
従来、この種の給湯装置では、待機電力の削減のために、使用者からの給湯要求がないときには不要な電源を遮断しているものがある（例えば、特許文献１参照）。
【０００３】
図３は、特許文献１に記載された従来の給湯装置を示すものである。図３に示すように、電磁弁や比例弁やファンなどの負荷に電源を供給する電源回路２と、給湯配管に取り付けられた接点式水流スイッチ４と、接点式水流スイッチ４や温度センサ等の状態を検出して、前記電磁弁や比例弁やファンなどの負荷を制御して給湯動作を行う制御回路５と、接点式水流スイッチ４の接点状態を検出するための接点式水流スイッチ検出回路８から構成される。
【０００４】
前記の電源遮断方法では、キッチンや洗面所等より給湯されると、接点式水流スイッチの接点がオンするため電源が供給され制御回路が動作を開始し、給湯がない場合には接点がオフし、電源が遮断される。
【先行技術文献】
【特許文献】
【０００５】
【特許文献１】特開２００９−９７７９５号公報
【発明の概要】
【発明が解決しようとする課題】
【０００６】
しかしながら、前記従来の構成では、接点式水流スイッチの接点状態により電源をオン・オフしており、接点式水流スイッチは給湯流量が少量のときには流量の検出ができない場合があり、ある一定の給湯流量以下では給湯要求があるにも関わらず、制御回路が動作しない場合がある、という課題を有していた。
【０００７】
本発明は、前記従来の課題を解決するもので、接点式水流スイッチを用いず、かつ給湯流量によらず電源のオン・オフを可能とした給湯装置を提供することを目的とする。
【課題を解決するための手段】
【０００８】
前記従来の課題を解決するために、本発明の給湯装置は、湯水を貯える貯湯タンクと、前記貯湯タンクの下部より分岐させた出水用配管と、前記貯湯タンクの上部に設けた給湯用配管と、前記給湯用配管より供給される高温水と前記出水用配管より供給される水を混合する混合弁と、前記混合弁により混合された湯水の供給量を検出する電磁式流量センサと、前記電磁式流量センサなどからの信号を受け取り、また前記混合弁などの負荷を制御して給湯動作を行う制御手段とを備え、キッチンや洗面所等から給湯される際に、前記電磁式流量センサにて電磁誘導法則を利用して発電し、その電圧を電磁式流量センサに供給する構成としたものである。
【０００９】
これにより、キッチンや洗面所等からの給湯の際、接点式水流スイッチを用いることなく、また給湯流量によらずにオフ状態となっていた電磁式流量センサの電源をオンすることが可能であり、また、待機時の電磁式水量センサの電力をオフすることにより待機電力を削減することができる。
【発明の効果】
【００１０】
本発明の給湯装置は、キッチンや洗面所等からの給湯の際、接点式水流スイッチを用いることなく、また給湯流量によらずにオフ状態となっていた電磁式流量センサの電源をオンすることができるため、給湯流量によらず電源のオン・オフが可能となり、待機時の電磁式水量センサの待機電力を削減することができる。また、接点式水量スイッチが不要のため部品点数を削減することができる。
【図面の簡単な説明】
【００１１】
【図１】本発明の実施の形態１における給湯装置の概略構成を示した模式図
【図２】本発明の実施の形態２における給湯装置の制御回路部のブロック図
【図３】従来の制御装置のブロック図
【発明を実施するための形態】
【００１２】
第１の発明は、湯水を貯える貯湯タンクと、前記貯湯タンクの下部より分岐させた出水用配管と、前記貯湯タンクの上部に設けた給湯用配管と、前記給湯用配管より供給される高温水と前記出水用配管より供給される水を混合する混合弁と、前記混合弁により混合された湯水の供給量を検出する電磁式流量センサと、前記電磁式流量センサなどからの信号を受け取り、また前記混合弁などの負荷を制御して給湯動作を行う制御手段とを備え、キッチンや洗面所等から給湯される際に、前記電磁式流量センサにて電磁誘導法則を利用して発電し、その電圧を電磁式流量センサに供給する構成とすることにより、キッチンや洗面所等からの給湯の際、接点式水流スイッチを用いることなく、また給湯流量によらずにオフ状態となっていた電磁式流量センサの電源をオンすることが可能となり、また、接点式水量スイッチが不要のため部品点数を削減することができる。
【００１３】
第２の発明は、特に、第１の発明の前記電磁式流量センサで発電した電圧を制御手段にて検知し、前記制御手段で発電電圧を検知した際には電圧回路より前記電磁式流量センサに電源を供給する構成とすることにより、給湯のオン・オフを繰り返しても前記制御手段にて一度発電を検知した後は流量によらず安定して電源を供給することができる。
【００１４】
第３の発明は、特に、２の発明の前記制御手段で発電検知がなくなった所定時間後に前記電磁式流量センサへの電源供給を遮断することにより、安定して電源を供給し、かつ待機電力の低減を図ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における給湯装置の概略構成を示した模式図を示すものである。
【００１７】
図１において、湯水を貯える貯湯タンク２０と、前記貯湯タンクの下部より分岐させた出水用配管３５と、前記貯湯タンクの上部に設けた給湯用配管３３と、前記給湯用配管３３より供給される高温水と前記出水用配管３５より供給される水を混合する混合弁３４と、前記混合弁３４により混合された湯水の供給量を検出する電磁式流量センサ３０Ａと、前記電磁式流量センサ３０Ａなどからの信号を受け取り、また前記混合弁３４などの負荷を制御して給湯動作を行う制御手段４０とから構成され、前記混合弁３４の流出側の給湯回路は、キッチン、又は洗面所等の給湯用の蛇口３６に接続されている。
【００１８】
以上のように構成された給湯装置について、以下その動作、作用を説明する。
【００１９】
まず、使用者より前記キッチン、又は洗面所等の給湯用の蛇口３６などから給湯要求があった際、前記給湯用配管３３より供給される高温水と前記出水用配管３５より供給される水とが前記混合弁３４により混合され、前記電磁式流量センサ３０Ａを通りキッチンや洗面所へ供給される。前記電磁式流量センサ３０Ａを湯水が通る際、電磁誘導法則により発電作用により起電力が発生し、その発電された電圧を前記電磁式流量センサ３０Ａの電源に供給することで、給湯がないときにオフ状態であった前記電磁式流量センサ３０Ａがオン状態となり、給湯流量が検知可能となる。
【００２０】
以上のように、本実施の形態においては前記電磁式流量センサにて電磁誘導法則を利用して発電し、その電圧を電磁式流量センサに供給する構成とすることにより、電磁式流量センサの電源をオンすることが可能であり、待機時の電磁式水量センサの電源を削減することができる。
【００２１】
（実施の形態２）
図２は、本発明の実施の形態２における給湯装置の制御回路のブロック図である。
【００２２】
図２において、前記制御手段４０は、前記電磁式流量センサ３０Ａで発電した電圧を検知する手段である発電検知手段４１と、前記電磁式流量センサ３０Ａの電圧を供給する電源回路４３と、前期電源回路４３から前記電磁式流量センサ３０Ａへの電源供給をオン・オフする電源オン・オフ手段４２からから構成されている。
【００２３】
以上のように構成された給湯装置について、以下その動作、作用を説明する。
【００２４】
発電検知手段４１で前記電磁式流量センサ３０Ａの発電電圧を検知し、発電電圧を検知した際には前記電源オン・オフ手段４２をオンすることで、前記電圧回路４３より前記電磁式流量センサ３０Ａに電源を供給し、検知していない場合には前記電源オン・オフ手段４２はオフとする。
【００２５】
以上のように、本実施の形態においては、発電検知手段で発電電圧を検知した際に、前記電源オン・オフ手段をオンすることで電圧回路から前記電磁式流量センサに電源を供給することにより、給湯のオン・オフを繰り返しても一度発電を検知した後は流量によらず安定して電源を供給することができる。
【産業上の利用可能性】
【００２６】
以上のように、本発明にかかる給湯装置は、給湯流量によらず、オフ状態となっていた電磁式流量センサの電源をオンすることが可能となるので、電磁式流量センサを用いた他の流体制御機器等の用途にも適用できる。
【符号の説明】
【００２７】
２０  貯湯タンク
３０Ａ  電磁式流量センサ
３３  給湯用配管
３４  混合弁
３５  出水用配管
４０  制御手段
４１  発電電圧検知手段
４２  電源オン・オフ手段
４３  電源回路
【図１】
2011202850.tif 000003
【図２】
2011202850.tif 000004
【図３】
2011202850.tif 000005